(57)【要約】【課題】折り畳みが可能で貯蔵および運輸のコストが低減でき、従来の折畳式収納箱のような強度不足の問題がなく、複数積上げて強度が高い一つの物置棚に形成することができる収納箱を提供する。【解決手段】同一寸法の長方形の側板４枚と、長方形の底板１枚とを含む収納箱において、他の側板と接合する２つの辺の内の１つの辺には、係止構造と突起とが交互に多数に設けてあり、他の辺には係止構造と突起とに対応する係止孔と凹部とが設けてあり、長方形の側板を４枚互いに結合すると四角形の枠体が形成され、且つ、長方形の底板と接合する辺を含む２つの辺の内の１つの辺には、底縁が設けてあり、底縁の内側には一つの結合溝が設けてあり、底縁に対向する辺には頂縁が設けてあり、頂縁の付近には手持ち部が設けてあり、底板は、その四辺が結合溝に挿入して固定され、その中央は折畳構造になっていることを特徴とする。【選択図】図１
0003116269.tif 000002
【実用新案登録請求の範囲】
【請求項１】
同一寸法の長方形の側板（１１）４枚と、長方形の底板（２０）１枚とを含む収納箱において、
前記長方形の側板（１１）の対向する２組の辺の内、他の側板と接合する２つの辺の内の１つの辺には、係止構造（１１１）と突起（１１２）とが交互に多数設けてあり、他の辺には前記係止構造（１１１）と突起（１１２）とに対応する係止孔（１１３）と凹部（１１４）とが設けてあり、前記長方形の側板（１１）を４枚互いに結合すると四角形の枠体が形成され、且つ、前記長方形の側板（１１）に対向する２組の辺の内、長方形の底板（２０）と接合する辺を含む２つの辺の内の１つの辺には、底縁（１２）が設けてあり、前記底縁（１２）の内側には一つの結合溝（１２１）が設けてあり、前記底縁（１２）に対向する辺には頂縁（１３）が設けてあり、前記頂縁（１３）の付近には手持ち部（１３１）が設けてあり、前記底板（２０）は、その四辺が前記結合溝（１２１）に挿入して固定され、その中央は折畳構造（２０１）になっていることを特徴とする収納箱。
【請求項２】
前記頂縁（１３）の裏側には溝（１３２）が設けてあり、前記収納箱（１０）を積上げたときに、一つの結合素子（４０）の両側にある係止構造（４１）を二つの収納箱（１０）にある溝（１３２）にそれぞれ係止することにより収納箱（１０）が連結されることを特徴とする請求項１に記載の収納箱。
【請求項３】
前記長方形の側板（１１）の対向する２組の辺の内、他の側板と接合する２つの辺の内の１つの辺には、係止構造（１１１）と突起（１１２）とが交互に多数に設けてあり、前記結合溝（１２１）の付近には連接部（１１５）が設けてあり、且つ、前記底縁（１２）には連接部（１１５）と合う貫通孔（１２２）が開設してあり、複数の収納箱（１０）を固定する固定素子（３０）の凸部（３１）は貫通孔（１２２）を通して連接部（１１５）に挿入し固定されることを特徴とする請求項１に記載の収納箱。
【考案の詳細な説明】
【技術分野】
【０００１】
本考案は、収納箱に係り、特に、複数の部材を組付けて構成され、且つ複数積上げて固定することが可能な収納箱に関するものである。
【背景技術】
【０００２】
一般の収納箱は固定式で、折り畳んで収納することができないが、耐荷重性が高いという長所を有する。しかしながら、使用しない時は容積を縮小することが出来ず貯蔵および運輸のコストが高いという難点があった。
【０００３】
上記問題点を解決するものとして、折り畳み可能な収納箱がある。これは、軟質な布で収納箱の箱体を作製し、箱体の裏側を固定枠とするロッドで補強するものである。収納箱を使用しない時には、軟質な布を折り畳んで収納することが可能であり、且つロッドも分解可能である。しかし、このような収納箱の欠点は、強度が低く、複数の収納箱を結合して収納棚にする際に、ロッドの結合が困難で、且つ、収納箱を積上げて構成する収納棚は強度が単一の収納箱よりも低いことである。
【特許文献１】実開平０６−０３５１３１号公報
【考案の開示】
【考案が解決しようとする課題】
【０００４】
本考案の主な目的は、折り畳みが可能で貯蔵および運輸のコストが低減でき、従来の折畳式収納箱のような強度不足の問題がない収納箱を提供することである。
【０００５】
本考案の次の目的は、複数積上げて強度が高い一つの物置棚に形成することができる収納箱を提供することである。
【課題を解決するための手段】
【０００６】
上記目的を達成するためになされた本考案は、同一寸法の長方形の側板（１１）４枚と、長方形の底板（２０）１枚とを含む収納箱において、前記長方形の側板（１１）の対向する２組の辺の内、他の側板と接合する２つの辺の内の１つの辺には、係止構造（１１１）と突起（１１２）とが交互に多数設けてあり、他の辺には前記係止構造（１１１）と突起（１１２）とに対応する係止孔（１１３）と凹部（１１４）とが設けてあり、前記長方形の側板（１１）を４枚互いに結合すると四角形の枠体が形成され、且つ、前記長方形の側板（１１）に対向する２組の辺の内、長方形の底板（２０）と接合する辺を含む２つの辺の内の１つの辺には、底縁（１２）が設けてあり、前記底縁（１２）の内側には一つの結合溝（１２１）が設けてあり、前記底縁（１２）に対向する辺には頂縁（１３）が設けてあり、前記頂縁（１３）の付近には手持ち部（１３１）が設けてあり、前記底板（２０）は、その四辺が前記結合溝（１２１）に挿入して固定され、その中央は折畳構造（２０１）になっていることを特徴とする。
【０００７】
本考案は、前記頂縁（１３）の裏側には溝（１３２）が設けてあり、前記収納箱（１０）を積上げたときに、一つの結合素子（４０）の両側にある係止構造（４１）を二つの収納箱（１０）にある溝（１３２）にそれぞれ係止することにより収納箱（１０）が連結されることを特徴とする。
【０００８】
また、本考案は、前記長方形の側板（１１）の対向する２組の辺の内、他の側板と接合する２つの辺の内の１つの辺には、係止構造（１１１）と突起（１１２）とが交互に多数に設けてあり、前記結合溝（１２１）の付近には連接部（１１５）が設けてあり、且つ、前記底縁（１２）には連接部（１１５）と合う貫通孔（１２２）が開設してあり、複数の収納箱（１０）を固定する固定素子（３０）の凸部（３１）は貫通孔（１２２）を挿通して連接部（１１５）に挿入し固定されることを特徴とする。
【考案の効果】
【０００９】
本考案の収納箱には、次のような効果がある。
（イ）折り畳んで収納できることにより貯蔵および運輸のコストが低減でき、従来の折畳式収納箱のような強度不足の問題がない。
【００１０】
（ロ）複数の収納箱を積上げて一つの物置棚に形成することができ、且つ物置棚全体の結合強度が高い。
【考案を実施するための最良の形態】
【００１１】
以下、添付図面を参照して本考案の好適な実施の形態を詳細に説明する。
【実施例】
【００１２】
本考案の収納箱は、図１に示す通り、同一寸法の長方形の側板１１を４枚と、長方形の底板２０を１枚含む収納箱において、長方形の側板１１の対向する２組の辺の内、他の側板と接合する２つの辺の内の１つの辺には、係止構造１１１と突起１１２とが交互に多数に設けてあり、他の辺には係止構造１１１と突起１１２とに対応する係止孔１１３と凹部１１４とが設けてある。
係止構造１１１は係止孔１１３と係止され、突起１１２は凹部１１４に嵌め込み固定される。長方形の側板１１を互いに結合すると四角形の枠体が形成され、各側板１１の間の結合が堅固であるため、収納箱１０全体の強度は高い。
【００１３】
また、長方形の側板１１の対向する２組の辺の内、長方形の底板２０と接合する辺を含む２つの辺の内の１つの辺には、底縁１２が設けてあり、底縁１２の内側には一つの結合溝１２１が設けてある。
底縁１２に対向する辺には頂縁１３が設けてあり、頂縁１３の付近には手持ち部１３１が設けてある。底板２０は、その四辺が結合溝１２１に挿入して固定され、その中央は折畳構造２０１になっている。
３枚の側板１１を結合した後、底板２０を結合溝１２１に沿って挿入し、４枚目の側板１１を組込む。これにより、底板２０が４枚の側板１１から構成された枠体内に固定される。また、底板２０は折畳構造２０１によって折り畳んで収納することができる。従って、収納箱を使用しない時や、貯蔵、運輸する時には、底板２０を折り畳んで収納することができ、また、各側板１１も分解可能であるため、収納箱を分解すると、容積は従来の固定式収納箱よりも小さくなる。
【００１４】
収納箱１０を構成する側板１１の底縁１２の対向辺には頂縁１３が設けてあり、頂縁１３に隣接して手持ち部１３１が設けてあるため、手持ち部１３１により収納箱１０を容易に運搬することができる。
【００１５】
図３は本考案の収納箱を積上げた状態を示す斜視図であり、図４は図３の一部の拡大概略図である。４つの収納箱１０を図３のように積上げて物置棚にする場合には、側板１１の頂縁１３の裏側に溝１３２が設けてあるため、一つの結合素子４０の両側にある係止構造４１を二つの収納箱１０にある溝１３２にそれぞれ係止することにより収納箱１０が結合される。
【００１６】
図５は本考案の収納箱を積上げ、背面から見た斜視図であり、図６（ａ）は本考案の固定素子３０の一部拡大概略図であり、図６（ｂ）は本考案の矩形固定素子３０ａの一部拡大概略図である。
長方形の側板１１の対向する２組の辺の内、他の側板と接合する２つの辺の内の１つの辺には、係止構造１１１と突起１１２とが交互に多数に設けてあり、長方形の側板１１の対向する２組の辺の内、長方形の底板２０と接合する辺を含む２つの辺の内の１つの辺には、底縁１２が設けてあり、底縁１２には前記連接部１１５に合う貫通孔１２２が開設してある。
収納箱を図５に示すように積上げる場合には、固定素子３０に設けた凸部３１をそれぞれ貫通孔１２２に挿通して連接部１１５に挿入すると収納箱１０の側板１１の底縁１２が互いに固定され、複数の収納箱１０が互いに固定される。
【００１７】
固定素子３０には、図６（ａ）に示すように、その側面の両端に凸部３１が設けてあり、この固定素子３０により、二つ並んだ収納箱１０の底縁１２が互いに固定できる。また、固定素子３０は、矩形固定素子３０ａでもよく、図６（ｂ）に示すように、その側面の四つのコナーには凸部３１ａが設けてあり、この矩形固定素子３０ａにより、４つ並んで積上げた収納箱１０の底縁１２が互いに固定でき、４つの収納箱１０が互いに固定される。
【００１８】
また、固定素子３０は、Ｌ型固定素子３０ｂでもよく、図８に示すように、その側面の３つの箇所には凸部３１ｂが設けてあり、Ｌ型固定素子３０ｂにより、図７に示すように、３つ並べて積上げた収納箱１０の底縁１２が互いに固定され、３つの収納箱１０が互いに固定される。
【００１９】
本考案の収納箱は、収納空間により複数の収納箱１０を任意に組合わせることができ、複数の収納箱１０を組合わせた物置棚は、展示棚や、装飾品や収蔵品などの収納に活用できる。
【００２０】
また、本考案の収納箱１０では、底縁１２にある貫通孔１２２と連接部１１５にローラ素子５０の上端の挿入部５１を挿入することにより、４つのローラ素子５０が収納箱１０の４つのコナーに固定され、収納箱１０を容易に移動することができる。
【図面の簡単な説明】
【００２１】
【図１】本考案の構造を示す分解斜視図である。
【図２】本考案の収納箱の底板構造を示す概略図である。
【図３】本考案の収納箱を積上げた状態を示す斜視図である。
【図４】図３の一部の拡大概略図である。
【図５】本考案の収納箱の積上げた状態を背面から見た斜視図である。
【図６】（ａ）本考案の固定素子の一部の拡大概略図である。          （ｂ）本考案の矩形固定素子の一部の拡大概略図である。
【図７】本考案の収納箱を逆Ｌ字形に積上げた状態を示す背面図である。
【図８】本考案のＬ型固定素子の一部の拡大概略図である。
【図９】本考案の収納箱にローラ素子を組付けた状態を示す概略図である。
【符号の説明】
【００２２】
１０      収納箱
１１      側板
１２      底縁
１３      頂縁
２０      底板
３０      固定素子
３１，３１ａ，３１ｂ      凸部
３０ａ    矩形固定素子
３０ｂ    Ｌ型固定素子
４０      結合素子
４１      係止構造
１１１    係止構造
１１２    突起
１１３    係止孔
１１４    凹部
１１５    連接部
１２１    結合溝
１２２    貫通孔
１３１    手持ち部
１３２    溝
２０１    折畳構造
【図１】
0003116269.tif 000003
【図２】
0003116269.tif 000004
【図３】
0003116269.tif 000005
【図４】
0003116269.tif 000006
【図５】
0003116269.tif 000007
【図６】
0003116269.tif 000008
【図７】
0003116269.tif 000009
【図８】
0003116269.tif 000010
【図９】
0003116269.tif 000011